(57)【特許請求の範囲】
【請求項１】
鋸刃と、
モータと、
該モータの回転力を往復動に変換する往復動変換機構と、
前記モータへと給電可能に操作可能なスイッチと、
前記往復動変換機構に接続され、前記鋸刃が往復動するように保持する往復動部材と、
前記モータ又は前記往復動変換機構の少なくとも一部を覆うように形成されるハウジングとを有する携帯用電気のこぎりであって、
前記ハウジングは、略第１の方向に延び、第１の握り部を有する第１ハウジング部と、略第２の方向に延び、第２の握り部を有する第２ハウジング部とを有し、
前記第１の握り部と前記第２の握り部の間であって、前記ハウジングの前記第１ハウジング部と前記第２ハウジング部の接合部付近に、作業者が前記第１の握り部と前記第２の握り部の間のハウジングを把持できるようにする凹部を形成したことを特徴とする携帯用電気のこぎり。
【請求項２】
前記鋸刃は下方に被削材を切断するための切断部を有することを特徴とする請求項１記載の携帯用電気のこぎり。
【請求項３】
前記第１ハウジング部と前記第２ハウジング部の接合部付近であって、前記ハウジングの上方には第１の凹部が設けられ、
前記第１ハウジング部と前記第２ハウジング部の接合部付近であって、前記ハウジングの下方には第２の凹部が設けられることを特徴とする請求項１又は請求項２に記載の携帯用電気のこぎり。
【請求項４】
前記スイッチは、前記第１ハウジング部と前記第２ハウジング部の接合部付近に設けられることを特徴とする請求項１から請求項３までのいずれか１項記載の携帯用電気のこぎり。
【請求項５】
前記第１の握り部と、前記凹部との間に、前記第１の握り部と前記第２の握り部の間のハウジングを把持している時に操作可能な前記スイッチを有することを特徴とする請求項１記載の携帯用電気のこぎり。
【請求項６】
前記第１の握り部の中心線と、前記第２の握り部の中心線と、前記凹部を形成したハウジング部の中心線が異なっていることを特徴とする請求項１に記載の携帯用電気のこぎり。
【請求項７】
前記第２の握り部の中心線と前記鋸刃の切断方向との間の角度と、前記凹部を形成したハウジング部の中心線と前記鋸刃の切断方向との間の角度と、前記第１の握り部の中心線と前記鋸刃の切断方向との間の角度は、この順番で小さくなることを特徴とする請求項１に記載の携帯用電気のこぎり。
【請求項８】
前記第２の握り部と、前記凹部を形成したハウジング部と、第１の握り部とは、この順番で前記鋸刃より遠い位置に位置することを特徴とする請求項１に記載の携帯用電気のこぎり。
【発明の詳細な説明】
【技術分野】
【０００１】
本発明は、携帯用電気のこぎりに関するものである。
【背景技術】
【０００２】
従来の携帯用電気のこぎりについて説明を行う。
【０００３】
従来の携帯用電気のこぎりでは、モータの少なくとも一部を覆うハウジングがある。ハウジング（特許文献１においては、本体と呼ばれている）は、第１ハウジング部と、第２ハウジング部を有している。ここで、第１ハウジング部は、スイッチより略下方に延びており、第２ハウジング部は、第１ハウジング部より異なる方向であって鋸刃（特許文献中においては、刃物と呼ばれている）の延びる方向へと延びている。第１ハウジング部を作業者は把持し、把持した手の人差し指又は中指などでスイッチを操作していた。もう一方の手は、鋸刃によって切断する材料を把持するなどしていた。
【０００４】
また、場合によっては、もう一方の手で第２ハウジング部の一部又は、往復動変換機構が設けられているギヤハウジング（特許文献においては、ハウジングと呼ばれている）を把持することによって、作業の際にしっかりと携帯用電気のこぎりを保持していた。
【０００５】
【特許文献１】実公平０６−２５２９１号公報
【発明の開示】
【発明が解決しようとする課題】
【０００６】
従来の携帯用電気のこぎりにおいて、片手で第１ハウジング部を把持する場合には、切断材を切断する鋸刃と第１ハウジング部との距離が大きくなるために、作業の際に作業者がしっかりと携帯用電気のこぎりを把持することができない場合があるものであった。また、その場合には、第１ハウジングと第２ハウジングが異なる方向へと伸びているものであるために、作業者が携帯用電気のこぎりを把持することによって鋸刃に力を伝えることが困難であった。なお、一方の手で携帯用電気のこぎりを把持する際に、もう一方の手は切断材料などを把持していた。このように従来の携帯用電気のこぎりを片手で把持すると、作業が不安定になることがあった。
【０００７】
また、両手で携帯用電気のこぎりを把持する際には、切断材料などを把持できないために、作業の際に切断材料への携帯用電気のこぎりの鋸刃を押し付けて鋸刃に力を伝えることが不安定になることがあった。
【０００８】
なお、片手で第２ハウジング部又はギヤハウジングなどを把持する場合には、作業者が携帯用電気のこぎりを把持することによって鋸刃に力を伝えることは容易に行うことができるが、第２ハウジング部を把持すると第１ハウジング部と第２ハウジング部の接合部付近にあるスイッチを入れることが困難であった。また、作業者よりも上方に切断材料がある際には、鋸刃と第２ハウジング部の距離が小さいために、作業者に腕を伸ばさなければならず作業が困難になることもあった。また、狭い場所に切断材料がある場合には、把持しているしている第２ハウジング部又はギヤハウジングを狭い場所に入れることができないために、切断の支障となるものであった。
【０００９】
なお、第１ハウジング部及び第２ハウジング部の接合部付近には大きな突起があり、把持することは困難であり、またその部分に把持を容易にするような材料は取付けられていなかった。
【００１０】
本発明の目的は、切断作業時に刃物に下方への力をかけやすく、狭い場所でも操作性の良い、携帯用電気のこぎりを提供することにある。
【課題を解決するための手段】
【００１１】
上記の目的を達成するために本発明は、鋸刃と、モータと、該モータの回転力を往復動に変換する往復動変換機構と、前記モータへと給電可能に操作可能なスイッチと、前記往復動変換機構に接続され、前記鋸刃が往復動するように保持する往復動部材と、前記モータ又は前記往復動変換機構の少なくとも一部を覆うように形成されるハウジングとを有する携帯用電気のこぎりであって、前記ハウジングは、略第１の方向に延び、第１の握り部を有する第１ハウジング部と、略第２の方向に延び、第２の握り部を有する第２ハウジング部とを有し、前記第１の握り部と前記第２の握り部の間であって、前記ハウジングの前記第１ハウジング部と前記第２ハウジング部の接合部付近に、作業者が前記第１の握り部と前記第２の握り部の間のハウジングを把持できるようにする凹部を形成したことを特徴とする。
【発明の効果】
【００１２】
請求項１に記載の構成の携帯用電気のこぎりによって、第１ハウジング部と第２ハウジング部の接合部付近に凹部を設けたために、作業者は接合部付近を容易に把持することができるようになる。このことによって、第１ハウジング部の第２ハウジング部の接合部付近を把持することによって、鋸刃の下方へと力を伝えることを容易に行うことができるようになる。また、狭い場所に切断材料ある場合には、第２ハウジング部を狭い場所に入れることができるようになる。
【００１３】
また、両手で携帯用電気のこぎりを把持することを抑制できるために、切断材料などを携帯用電気のこぎりを持つ片手とは異なるもう一方の手は切断材料などを把持することができるために、安定した作業を行うことができる。
【発明を実施するための最良の形態】
【００１４】
本発明の一実施形態を図１から図８を参照して説明する。
【００１５】
図１は、本発明の携帯用電気のこぎり１の正面図であり、図２は、本発明の携帯用電気のこぎりの背面図である。携帯用電気のこぎり１は、繰り返し充電可能な充電池３を有しており、充電池３によって、給電が行われる。携帯用電気のこぎり１はハウジング２を有する。ハウジング２は、第１ハウジング２Ａ及び第２ハウジング２Ｂを有する。第１ハウジング部２Ａと第２ハウジング部２Ｂは、約１５０度の角度（図８のＬ１とＬ３の間の角度）で接合している。第１ハウジング２Ａには、充電池が接続されており、第１ハウジング部２Ａと第２ハウジング部２Ｂの接合部付近には、スイッチ４が設けられており、後述するモータ７へとスイッチ４を操作することによって給電可能になっている。反第１ハウジング部２Ａと第２ハウジング部２Ｂの接合部である、第２ハウジング部２Ｂの端部には、鋸刃５が位置する。鋸刃５は下方に切断材料を切断可能な切断部５Ａを有する。鋸刃５は後述するハウジング２内部に配設される往復動変換機構８に往復動部材９を介して接続されている。また、反第１ハウジング部２Ａと第２ハウジング部２Ｂの接合部である、第２ハウジング部２Ｂの端部には、ベース６が位置する。
【００１６】
図３にハウジング２の内部の構造の要部断面図を示す。
充電池３は、弾性を持つラッチ部３Ａを有し、ハウジング２の下端と着脱可能である。スイッチ４は、ハウジング２の第１ハウジング部２Ａと第２ハウジング部２Ｂの接合部付近に設けられており、スイッチ４は、ハウジング２内へと向う方向に移動可能となっており、移動によって図示しない接点が接触することによって、モータ７に給電される構成となっている。また、ハウジング２内部には、モータ７が配設されており、給電によって回転可能となっている。モータ７の軸７Ｂには、ギヤ７Ａが設けられており、ギヤ７Ａは、往復動変換機構８のギヤ８Ａと噛み合っている。往復動変換機構８は、軸８Ｂを有しており、ギヤ８Ａは軸８Ｂと一体回転する構成となっている。ギヤ８Ａには、往復動部材９が接続されており、ギヤ８Ａの円運動による回転を往復動へと変換できるようになっている。往復動部材９の端部には、鋸刃５が鋸刃５の穴部に挿通されるピン９Ａを介して取り付けられている。また、ベース６が第２ハウジング部２Ｂの端部には設けられており、ベース６は鋸刃５の延びる方向に移動可能となっており、押し付け部６Ｂによってハウジング２に対して移動を規制可能である。また、ベース６は切断材料と接触する接触面６Ａを有している。
【００１７】
なお、第１ハウジング部２Ａと第２ハウジング部２Ｂの接合部付近には、図３に示すように上部に第１の凹部２Ｃが設けられ、下部に第２の凹部２Ｄが設けられる構成となっている。
【００１８】
図４から図７を用いて、本発明の一実施形態の携帯用電気のこぎりの動作について説明する。
【００１９】
図６に両手で携帯用電気のこぎり１を把持する際の様子を示す。右手Ｘの親指Ｘ１、中指Ｘ３、薬指Ｘ４及び小指Ｘ５で携帯用電気のこぎりの第１ハウジング部２Ａを把持し、左手Ｙの５本の指で第２ハウジング部２Ｂを把持する。右手Ｘの人差し指Ｘ２でスイッチ４を操作すると、モータ７に給電され、モータ７が回転する。モータ７の回転によって、ギヤ７Ａが回転し、噛み合っているギヤ８Ａが軸８Ｂを中心軸として回転する。往復動変換機構８には、往復動部材９が接続されており、往復動部材は、ギヤ８Ａの回転によって、往復動する。往復動部材９の端部に接続されている鋸刃５は、往復動部材に取付けられいるために、往復動をする。
【００２０】
作業者は、右手Ｘによって、往復動する鋸刃５を下方へと切断材料Ｗへと押し付けることによって、切断部５Ａにより切断材料Ｗを切断する。なお、その際には、ベース６の押し付け部６Ａによって、切断材料Ｗに対して携帯用電気のこぎり１を切断材料Ｗの側方へと押し付けることによって位置決めをしている。
【００２１】
図７に、左手Ｙの図６におけるＢ−Ｂ線断面図を示す。第２ハウジング部２Ｂの外周部には、熱可塑性エラストマー２Ｂ１が設けらており、左手Ｙで携帯用電気のこぎり１の把持が容易になるようにしている。なお、断面は図示しないが、図３に示すように第１ハウジング部２Ａの外周部にも熱可塑性エラストマー２Ａ１が設けられており、右手Ｘでの把持が容易になるようになっている。
【００２２】
図４に片手で携帯用電気のこぎり１を把持する際の様子を示す。右手の親指Ｘ１、人差し指Ｘ２及び中指Ｘ３によって、携帯用電気のこぎり１の第１ハウジング部２Ａと第２ハウジング部２Ｂの接合部付近を把持している。第１ハウジング部２Ａと第２ハウジング部２Ｂの接合部付近には、図３に示すように上部に第１の凹部２Ｃが設けられ、下部に第２の凹部２Ｄが設けられる構成となっている。  図５に図４のＡ−Ａ線断面図を示す。親指Ｘ１と人差し指Ｘ２の付け根が凹部２Ｃに対応する位置に位置しており、また、人差し指Ｘ２及び中指Ｘ３が第２の凹部に対応する位置に位置している。このように、親指Ｘ１及び人差し指Ｘ２の付け根が第１の凹部に対応する位置に位置することによって、しっかりと携帯用電気のこぎり１の把持を行うことができるようになっており、また、人差し指Ｘ２及び中指Ｘ３が第２の凹部に対応する位置に位置することによって、しっかりと携帯用電気のこぎり１の把持を行うことができるようになっている。
【００２３】
また、本発明の携帯用電気のこぎりは、第１の握り部と、第２の握り部と、第３の握り部を有する。第１の握り部は、図６の右手Ｘによって握られている第１ハウジング部２Ａである。第２の握り部は、図６の左手Ｙで握られている第２ハウジング部２Ｂである。第３の握り部は、図４の右手Ｘで握られている第１ハウジング部２Ａと第２ハウジング部２Ｂの接合部付近の、第１の凹部２Ｃおよび第２の凹部２Ｄである。なお、第１の握り部と第３の握り部の間にスイッチ４が設けられる構成となっている。なお、鋸刃５からの距離は、第２の握り部、第３の握り部、第１の握り部の順に遠くなっている構成である。
【００２４】
図８に示すように、第２の握り部は中心線としてＬ１を有し、第３の握り部は中心線としてＬ２を有し、第１の握り部は中心線としてＬ３を有する。このＬ１と鋸刃５の切断方向との間の角度はαであり、Ｌ２と切断方向との間の角度はβであり、Ｌ３と切断方向との間の角度はγである。この場合に図８に示すように、αはβより大きく、βはγより大きくなっている。
【００２５】
第１ハウジング部２Ａを把持する際には、切断方向と第１の握り部の中心線Ｌ３との間の角度はγであり、小さいものであるために、片手で握る場合には作業者が下方へと力を伝えることが容易なものではなかったが、切断方向と第３の握り部は中心線Ｌ２との間の角度はβであるために、片手で握る場合には作業者が下方へと力を伝えることが容易になるものである。
【００２６】
以上のように、第１ハウジング部と第２ハウジング部の接合部付近に凹部を設けたために、作業者は接合部付近を容易に把持することができるようになる。このことによって、第１ハウジング部の第２ハウジング部の接合部付近を把持することによって、ブレードの下方に力を伝えることを容易に行うことができるようになる。また、狭い場所に切断材料ある場合には、第２ハウジング部を狭い場所に入れることができるようになる。また、両手で携帯用電気のこぎりを把持することを抑制できるために、切断材料などを携帯用電気のこぎりを持つ片手とは異なるもう一方の手は切断材料などを把持することができるために、安定した作業を行うことができる。また、作業者よりも上方に切断材料がある際には、鋸刃５と第１ハウジング部と第２ハウジング部の接合部付近との距離が、第２ハウジング部に比較して大きいために、作業者に腕を伸ばす必要が無く容易に作業を行うことができるようになる。
【００２７】
また、以上のように、第３の握り部を設けたために、作業者は第３の握り部を容易に把持することができるようになる。このことによって、鋸刃５の下方に力を伝えることを容易に行うことができるようになる。また、狭い場所に切断材料がある場合には、第２の握り部を狭い場所に入れることができるようになる。また、両手で携帯用電気のこぎりを把持することを抑制できるために、切断材料などを携帯用電気のこぎりを持つ片手とは異なるもう一方の手は切断材料などを把持することができるために、安定した作業を行うことができる。また、作業者よりも上方に切断材料がある際には、鋸刃と第３の握り部との距離が、第２の握り部に比較して大きいために、作業者に腕を伸ばす必要が無く容易に作業を行うことができるようになる。
【００２８】
本発明の一実施例においては充電可能な充電池３によって携帯用電気のこぎり１のモータ７へと給電する構成としたが、電源コード及びプラグによって電源コンセントへとつなぐことによって給電を行うことによっても、本発明と同様の効果を奏し得ることができるものである
また、本発明においては、熱可塑性エラストマーを第１ハウジング部２Ａ及び第２ハウジング部２Ｂに設ける構成としたが、第１ハウジング部２Ａと第２ハウジング部２Ｂの接合部付近には設けない構成としたが、熱可塑性エラストマーを第１ハウジング部２Ａと第２ハウジング部２Ｂの接合部付近又はその一部である第１の凹部２Ｃ又は第２の凹部２Ｄに設ける構成とすると、よりしっかりと把持することができる携帯用電気のこぎりを提供することができ、本発明の一変形例として同様の効果を奏し得ることができるものである。
【００２９】
また、往復動変換機構８は、ギヤ８Ａを用いて円運動を往復動へと変換する構成としたが、他の機構によって、往復動変換を行う構成であっても、本発明の一変形例として同様の効果を奏し得ることができるものである。
【図面の簡単な説明】
【００３０】
【図１】本発明の一実施の形態に係る携帯用電気のこぎりの正面図
【図２】本発明の一実施の形態に係る携帯用電気のこぎりの背面図
【図３】図１の要部断面図
【図４】本発明の一実施の形態に係る携帯用電気のこぎりの使用状態を示す正面図
【図５】図４のＡ−Ａ線断面図
【図６】本発明の一実施の形態に係る携帯用電気のこぎりの他の使用状態を示す正面図
【図７】図６のＢ−Ｂ線断面図
【図８】本発明の一実施の形態に係る携帯用電気のこぎりの正面図
【符号の説明】
【００３１】
１  携帯用電気のこぎり
２  ハウジング
３  充電池
４  スイッチ
５  鋸刃
６  ベース
７  モータ
８  往復動変換機構
９  往復動部材
Ｘ  右手
Ｙ  左手
Ｗ  切断材料
【図１】
0005201389.tif 000002
【図２】
0005201389.tif 000003
【図３】
0005201389.tif 000004
【図４】
0005201389.tif 000005
【図５】
0005201389.tif 000006
【図６】
0005201389.tif 000007
【図７】
0005201389.tif 000008
【図８】
0005201389.tif 000009